(57)【要約】    【課題】      通話したい宛先の電話機が話中の場合であっても、同一のネットワークのグループに属する電話機にオペレータの操作を介在させずに自動的にかけ直すこと。    【解決手段】  入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし（ＳＴ７０２）、その宛先が話中の場合前記変換した数字をインクリメントして新たなＩＰアドレスを生成し（ＳＴ７０８）、このＩＰアドレスに基づいて別の宛先にアクセスし直す（ＳＴ７０２）。  【選択図】      図７
2004312708.tif 000002
【特許請求の範囲】
【請求項１】
入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が話中の場合前記変換した数字をインクリメントして新たなＩＰアドレスを生成し、このＩＰアドレスに基づいて別の宛先にアクセスし直すことを特徴とするインターネット電話機。
【請求項２】
入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が話中の場合前記変換できる範囲内で数字をインクリメントして新たなＩＰアドレスを生成し、このＩＰアドレスに基づいて別の宛先にアクセスし直すことを特徴とするインターネット電話機。
【請求項３】
インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が話中の場合前記変換した数字をインクリメントして新たなＩＰアドレスを生成し、このＩＰアドレスに基づいて別の宛先にアクセスし直すことを特徴とするインターネット電話に用いる制御装置。
【請求項４】
インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が話中の場合前記変換できる範囲内で数字をインクリメントして新たなＩＰアドレスを生成し、このＩＰアドレスに基づいて別の宛先にアクセスし直すことを特徴とするインターネット電話に用いる制御装置。
【請求項５】
ネットワークを介して接続するインターネット電話機の電話番号及び各電話番号に対応するＩＰアドレスを登録する記憶手段と、インターネット電話機からの電話番号の発呼を検出すると、前記電話番号に対応するＩＰアドレスを前記記憶手段から読出して前記発呼したインターネット電話機に返送する制御手段とを具備し、前記記憶手段は前記ＩＰアドレスのホストアドレス部に数字の代わりに特殊記号を入れて登録することを特徴とするインターネット電話に用いるネットワークサーバ。
【請求項６】
ネットワークを介して接続するインターネット電話機の電話番号及び各電話番号に対応するＩＰアドレスを登録する記憶手段と、インターネット電話機からの電話番号の発呼を検出すると、前記電話番号に対応するＩＰアドレスを前記記憶手段から読出して前記発呼したインターネット電話機に返送する制御手段とを具備し、前記記憶手段は前記ＩＰアドレスのホストアドレス部に数字の代わりに特殊記号及び前記特殊記号を数字に変換できる範囲を示す情報を入れて登録することを特徴とするインターネット電話に用いるネットワークサーバ。
【請求項７】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が話中の場合前記変換した数字をインクリメントして新たなＩＰアドレスを生成しこれに基づいて別の宛先にアクセスし直すことを特徴とするインターネット電話システム。
【請求項８】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が話中の場合前記変換できる範囲内で数字をインクリメントして新たなＩＰアドレスを生成しこれに基づいて別の宛先にアクセスし直すことを特徴とするインターネット電話システム。
【請求項９】
入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が話中の場合前記変換した数字をインクリメントして新たなＩＰアドレスを生成し、このＩＰアドレスに基づいて別の宛先にアクセスし直すことを特徴とするインターネット電話による通話方法。
【請求項１０】
入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が話中の場合前記変換できる範囲内で数字をインクリメントして新たなＩＰアドレスを生成し、このＩＰアドレスに基づいて別の宛先にアクセスし直すことを特徴とするインターネット電話による通話方法。
【請求項１１】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が話中の場合前記変換した数字をインクリメントして新たなＩＰアドレスを生成しこれに基づいて別の宛先にアクセスし直すことを特徴とするインターネット電話による通話方法。
【請求項１２】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が話中の場合前記変換できる範囲内で数字をインクリメントして新たなＩＰアドレスを生成しこれに基づいて別の宛先にアクセスし直すことを特徴とするインターネット電話による通話方法。
【請求項１３】
入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が所定時間応答しない場合前記変換した数字をインクリメントして新たなＩＰアドレスを生成し、このＩＰアドレスに基づいて別の宛先にアクセスし直すことを特徴とするインターネット電話機。
【請求項１４】
入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が所定時間応答しない場合前記変換できる範囲内で数字をインクリメントして新たなＩＰアドレスを生成し、このＩＰアドレスに基づいて別の宛先にアクセスし直すことを特徴とするインターネット電話機。
【請求項１５】
インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が所定時間応答しない場合前記変換した数字をインクリメントして新たなＩＰアドレスを生成し、このＩＰアドレスに基づいて別の宛先にアクセスし直すことを特徴とするインターネット電話に用いる制御装置。
【請求項１６】
インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が所定時間応答しない場合前記変換できる範囲内で数字をインクリメントして新たなＩＰアドレスを生成し、このＩＰアドレスに基づいて別の宛先にアクセスし直すことを特徴とするインターネット電話に用いる制御装置。
【請求項１７】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が所定時間応答しない場合前記変換した数字をインクリメントして新たなＩＰアドレスを生成しこれに基づいて別の宛先にアクセスし直すことを特徴とするインターネット電話システム。
【請求項１８】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が所定時間応答しない場合前記変換できる範囲内で数字をインクリメントして新たなＩＰアドレスを生成しこれに基づいて別の宛先にアクセスし直すことを特徴とするインターネット電話システム。
【請求項１９】
入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が所定時間応答しない場合前記変換した数字をインクリメントして新たなＩＰアドレスを生成し、このＩＰアドレスに基づいて別の宛先にアクセスし直すことを特徴とするインターネット電話による通話方法。
【請求項２０】
入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が所定時間応答しない場合前記変換できる範囲内で数字をインクリメントして新たなＩＰアドレスを生成し、このＩＰアドレスに基づいて別の宛先にアクセスし直すことを特徴とするインターネット電話による通話方法。
【請求項２１】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が所定時間応答しない場合前記変換した数字をインクリメントして新たなＩＰアドレスを生成しこれに基づいて別の宛先にアクセスし直すことを特徴とするインターネット電話による通話方法。
【請求項２２】
サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が所定時間応答しない場合前記変換できる範囲内で数字をインクリメントして新たなＩＰアドレスを生成しこれに基づいて別の宛先にアクセスし直すことを特徴とするインターネット電話による通話方法。
【発明の詳細な説明】
【技術分野】
【０００１】
本発明は、インターネットを介して通話するインターネット電話機、インターネット電話に用いる制御装置及びネットワークサーバ、並びにインターネット電話システム及びインターネット電話による通話方法に関する。
【背景技術】
【０００２】
従来、この種のインターネット電話のネットワークは、以下のように構成されていた。
【０００３】
例えば、Ｈ．３２３プロトコルを用いたインターネット電話システムの場合、インターネット電話のネットワーク内にゲートキーパーという呼管理サーバを設ける。このゲートキーパーは通話したい宛先の電話番号を各電話機から一元的に受信して、前記電話番号を対応するＩＰアドレスに変換して、前記電話番号を発呼した電話機に返送する機能を有する。
【０００４】
一方、電話機では、オペレータが通話したい宛先の電話番号を入力すると、その電話番号を発呼する。電話機が前記電話番号に対応するＩＰアドレスをゲートキーパーから受信すると、オペレータの介在なく、前記ＩＰアドレスに基づいて通話したい宛先の電話機に対してゲートキーパーを介してアクセスし、あるいはゲートキーパーを介さず直接アクセスする。これにより、インターネットを介した電話機間の通話が可能になる（例えば、特許文献１参照。）。
【０００５】
また、通常、ゲートキーパーと各電話機との間にはルータが介在する。前記ルータには複数のインターネット電話機が接続され、ネットワーク上のグループを形成する。同一グループ内の電話機には、ネットワークアドレスが共通なＩＰアドレスが割り当てられる。通常会社のオフィスでは、同一部署の電話機はネットワーク上の同一グループとして構成される。
【０００６】
図９（ａ）は、一般的なインターネット電話システムのネットワークの構成を示す図である。同図に示すネットワークにおいては、呼管理サーバ（サーバ）９０１にルータＡ９０２とルータＢ９０３が接続されている。ルータＡ９０２にグループ（Ａ）を形成するＡ１〜Ａ４のインターネット電話機が接続され、ルータＢ９０３にグループ（Ｂ）を形成するＢ１〜Ｂ４のインターネット電話機が接続されている。
【０００７】
図９（ｂ）、（ｃ）は、このサーバ９０１において管理される、各インターネット電話機に割り当てられた電話番号とその電話番号に対応するＩＰアドレスとが登録された管理表を示している。図９（ｂ）は、グループ（Ａ）の管理表を示し、図９（ｃ）は、グループ（Ｂ）の管理表を示している。ここで、電話番号としては会社内で用いられる内線番号を示している。
【０００８】
同図（ｂ）に示すように、インターネット電話機(端末)Ａ１〜Ａ４には、それぞれ電話番号として１００１〜１００４が割り当てられ、ＩＰアドレスとして１９２．１６８．１．１〜１９２．１６８．１．４が割り当てられている。すなわち、グループ（Ａ）の端末には、ネットワークアドレス（１９２．１６８．１）が共通なＩＰアドレスが割り当てられている。
【０００９】
一方、同図（ｃ）に示すように、インターネット電話機(端末)Ｂ１〜Ｂ４には、それぞれ電話番号として２００１〜２００４が割り当てられ、ＩＰアドレスとして１９２．１６８．２．１〜１９２．１６８．２．４が割り当てられている。すなわち、グループ（Ｂ）の端末には、ネットワークアドレス（１９２．１６８．２）が共通なＩＰアドレスとして割り当てられている。
【特許文献１】特開２００２−１０１１９８号公報（第４―５頁、第１図）
【発明の開示】
【発明が解決しようとする課題】
【００１０】
しかし、かかる従来の技術では、以下のような問題が生じていた。
【００１１】
即ち、ある部署の１つの電話機を宛先として電話した際、その電話機が話中の場合がある。この場合、通話者は一旦電話を切り、緊急の場合などは特に話中の電話機に隣接する電話機の番号を入力して、再度かけ直すという作業を行うことになる。このように、同一部署内の１つの電話機が話中の場合、再度改めて隣接する電話機にかけ直さなければならず、電話をする作業が大変煩雑なものになっていたという問題があった。
【００１２】
上述のネットワークの構成例を用いて説明する。例えば、端末Ａ１が端末Ｂ１を宛先として電話する場合について考える。図１０は、従来のインターネット電話システムにおける動作を示すシーケンス図である。
【００１３】
同図に示すように、端末Ａ１から端末Ｂ１に対して電話する場合、通話者は、まず、端末Ｂ１の電話番号（２００１）を入力する。この電話番号を受け付けると、端末Ａ１は、サーバ９０１に端末Ｂ１のＩＰアドレスを問い合わせ、端末Ｂ１のＩＰアドレスの通知を受ける。そして、そのＩＰアドレスに基づいて端末Ｂ１に発呼する。
【００１４】
ここで、端末Ｂ１は話中であったものとする。端末Ｂ１が話中であるため、端末Ｂ１には接続することができず、端末Ａ１には話中音が鳴動する。この話中音を確認すると、通話者は一旦電話を切り、隣接する端末Ｂ２の電話番号（２００２）を入力する。端末Ｂ１の場合と同様に、サーバ９０１から端末Ｂ２のＩＰアドレスの通知を受けると端末Ｂ２に発呼する。
【００１５】
ここで、端末Ｂ２も話中であったものとする。この場合、端末Ｂ２には接続することができず、端末Ａ１には話中音が鳴動する。この話中音を確認すると、通話者は一旦電話を切り、さらに隣接する端末Ｂ３の電話番号（２００３）を入力する。端末Ｂ１、Ｂ２の場合と同様に、サーバ９０１から端末Ｂ３のＩＰアドレスの通知を受けると端末Ｂ３に発呼する。
【００１６】
ここで、端末Ｂ３は、話中でなかったものとする。この場合、端末Ｂ３が話中でないため、端末Ａ１は端末Ｂ３と接続する。そして、例えば、端末Ｂ１のオペレータへのメッセージ等を端末Ｂ３のオペレータに伝える。このように同一部署内の１つの端末が話中の場合、再度改めて隣接する端末にかけ直さなければならない事態が生じている。
【００１７】
本発明は、かかる問題点に鑑みて為されたものであり、通話したい宛先の電話機が話中の場合であっても、同一のネットワークのグループに属する電話機にオペレータの操作を介在させずに自動的にかけ直すことができるインターネット電話機、インターネット電話に用いる制御装置及びネットワークサーバ、並びにインターネット電話システム及びインターネット電話による通話方法を提供することを目的とする。
【課題を解決するための手段】
【００１８】
本発明に係るインターネット電話機は、入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が話中の場合前記変換した数字をインクリメントして新たなＩＰアドレスを生成し、このＩＰアドレスに基づいて別の宛先にアクセスし直すようにしたものである。
【発明の効果】
【００１９】
本発明に係るインターネット電話機、インターネット電話に用いる制御装置及びネットワークサーバ、並びにインターネット電話システム及びインターネット電話による通話方法によれば、通話したい宛先の電話機が話中の場合であっても、同一のネットワークのグループに属する電話機にオペレータの操作を介在させずに自動的にかけ直すことができる。
【発明を実施するための最良の形態】
【００２０】
本発明の第１の態様に係るインターネット電話機は、入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が話中の場合前記変換した数字をインクリメントして新たなＩＰアドレスを生成し、このＩＰアドレスに基づいて別の宛先にアクセスし直す構成を採る。
【００２１】
この構成によれば、サーバから受信したＩＰアドレスのホストアドレス部に特殊記号を確認すると、この特殊記号を数字に置換してアクセスし、その宛先が話中の場合は前記置換した数字をインクリメントして別の宛先にアクセスする。これにより、オペレータは単に電話番号を入力するだけである宛先が話中の場合は別の宛先に順次自動的にかけ直してくれるので、同一グループ内のある電話機が話中の場合に一旦電話を切り、オペレータが隣接する別の電話機の電話番号を別途入力し直すという手間を省くことができ、電話をする際の操作負担を著しく軽減することができる。特に、複数の電話機が話中の場合、操作負担を軽減する効果は一層大きくなる。
【００２２】
本発明の第２の態様に係るインターネット電話機は、入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が話中の場合前記変換できる範囲内で数字をインクリメントして新たなＩＰアドレスを生成し、このＩＰアドレスに基づいて別の宛先にアクセスし直す構成を採る。
【００２３】
この構成によれば、サーバから入力したＩＰアドレスのホストアドレス部に特殊記号を確認するとこの特殊記号を数字に置換してアクセスし、その宛先が話中の場合は前記置換した数字をインクリメントして別の宛先にアクセスする。これにより、オペレータは単に電話番号を入力するだけである宛先が話中の場合は別の宛先に順次自動的にかけ直してくれるので、同一グループ内のある電話機が話中の場合に一旦電話を切り、オペレータが隣接する別の電話機の電話番号を別途入力し直すという手間を省くことができ、電話をする際の操作負担を著しく軽減することができる。
【００２４】
また、前記特殊記号を数字変換できる範囲が示されることにより、前記範囲内で特殊記号は数字に変換され、話中の場合は前記範囲内でインクリメントされるので、前記範囲を超えてグループ内に存在しないＩＰアドレスに無駄にアクセスするという処理の発生を防止できる。
【００２５】
本発明の第３の態様に係るインターネット電話に用いる制御装置は、インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が話中の場合前記変換した数字をインクリメントして新たなＩＰアドレスを生成し、このＩＰアドレスに基づいて別の宛先にアクセスし直す構成を採る。
【００２６】
この構成によれば、インターネット電話機の機能を有しない電話機を接続して当該電話機をインターネット電話機として機能させ、サーバから入力したＩＰアドレスのホストアドレス部に特殊記号を確認するとこの特殊記号を数字に置換してアクセスし、その宛先が話中の場合は前記置換した数字をインクリメントして別の宛先にアクセスする。これにより、オペレータは単に電話番号を入力するだけである宛先が話中の場合は別の宛先に順次自動的にかけ直してくれるので、同一グループ内のある電話機が話中の場合に一旦電話を切り、オペレータが隣接する別の電話機の電話番号を別途入力し直すという手間を省くことができ、電話をする際の操作負担を著しく軽減することができる。
【００２７】
本発明の第４の態様に係るインターネット電話に用いる制御装置は、インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が話中の場合前記変換できる範囲内で数字をインクリメントして新たなＩＰアドレスを生成し、このＩＰアドレスに基づいて別の宛先にアクセスし直す構成を採る。
【００２８】
この構成によれば、インターネット電話機の機能を有しない電話機を接続して当該電話機をインターネット電話機として機能させ、サーバから入力したＩＰアドレスのホストアドレス部に特殊記号を確認するとこの特殊記号を数字に置換してアクセスし、その宛先が話中の場合は前記置換した数字をインクリメントして別の宛先にアクセスする。これにより、オペレータは単に電話番号を入力するだけである宛先が話中の場合は別の宛先に順次自動的にかけ直してくれるので、同一グループ内のある電話機が話中の場合に一旦電話を切り、オペレータが隣接する別の電話機の電話番号を別途入力し直すという手間を省くことができ、電話をする際の操作負担を著しく軽減することができる。
【００２９】
また、前記特殊記号を数字変換できる範囲が示されることにより、前記範囲内で特殊記号は数字に変換され、話中の場合は前記範囲内でインクリメントされるので、前記範囲を超えてグループ内に存在しないＩＰアドレスに無駄にアクセスするという処理の発生を防止できる。
【００３０】
本発明の第５の態様に係るインターネット電話に用いるネットワークサーバは、ネットワークを介して接続するインターネット電話機の電話番号及び各電話番号に対応するＩＰアドレスを登録する記憶手段と、インターネット電話機からの電話番号の発呼を検出すると、前記電話番号に対応するＩＰアドレスを前記記憶手段から読出して前記発呼したインターネット電話機に返送する制御手段とを具備し、前記記憶手段は前記ＩＰアドレスのホストアドレス部に数字の代わりに特殊記号を入れて登録する構成を採る。
【００３１】
この構成によれば、サーバは、ＩＰアドレスをホストアドレス部に数字の代わりに特殊記号を入れて登録する。これにより、特定のインターネット電話機のＩＰアドレスではなく特定のインターネット電話機を含むグループのＩＰアドレスを、発呼したインターネット電話機に通知することになるので、インターネット電話機の方では宛先が話中の場合は順次同一グループに属する別の宛先にかけ直す処理が可能となる。
【００３２】
本発明の第６の態様に係るインターネット電話に用いるネットワークサーバは、ネットワークを介して接続するインターネット電話機の電話番号及び各電話番号に対応するＩＰアドレスを登録する記憶手段と、インターネット電話機からの電話番号の発呼を検出すると、前記電話番号に対応するＩＰアドレスを前記記憶手段から読出して前記発呼したインターネット電話機に返送する制御手段とを具備し、前記記憶手段は前記ＩＰアドレスのホストアドレス部に数字の代わりに特殊記号及び前記特殊記号を数字に変換できる範囲を示す情報を入れて登録する構成を採る。
【００３３】
この構成によれば、サーバは、ＩＰアドレスをホストアドレス部に数字の代わりに特殊記号を入れて登録する。これにより、特定のインターネット電話機のＩＰアドレスではなく特定のインターネット電話機を含むグループのＩＰアドレスを発呼したインターネット電話機に通知することになるので、インターネット電話機の方では宛先が話中の場合は順次同一グループに属する別の宛先にかけ直す処理が可能となる。
【００３４】
また、前記特殊記号を数字に変換できる範囲を示す情報をも登録することにより、特定のインターネット電話機のＩＰアドレスではなく特定のインターネット電話機を含むグループのＩＰアドレスを発呼したインターネット電話機に通知する場合に、そのグループ内で使用できるＩＰアドレスの範囲をも通知できるので、インターネット電話機の方で無駄にグループ内に存在しないＩＰアドレスにアクセスする処理が発生するのを防止できる。
【００３５】
本発明の第７の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が話中の場合前記変換した数字をインクリメントして新たなＩＰアドレスを生成しこれに基づいて別の宛先にアクセスし直す構成を採る。
【００３６】
この構成によれば、サーバから受信したＩＰアドレスのホストアドレス部に特殊記号を確認すると、インターネット電話機がこの特殊記号を数字に置換してアクセスし、その宛先が話中の場合は前記置換した数字をインクリメントして別の宛先にアクセスする。これにより、オペレータは単に電話番号を入力するだけである宛先が話中の場合はインターネット電話機が別の宛先に順次自動的にかけ直してくれるので、同一グループ内のある電話機が話中の場合に一旦電話を切り、オペレータが隣接する別の電話機の電話番号を別途入力し直すという手間を省くことができ、電話をする際の操作負担を著しく軽減することができる。特に、複数の電話機が話中の場合、操作負担を軽減する効果は一層大きくなる。
【００３７】
本発明の第８の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が話中の場合前記変換できる範囲内で数字をインクリメントして新たなＩＰアドレスを生成しこれに基づいて別の宛先にアクセスし直す構成を採る。
【００３８】
この構成によれば、サーバから受信したＩＰアドレスのホストアドレス部に特殊記号を確認すると、インターネット電話機がこの特殊記号を数字に置換してアクセスし、その宛先が話中の場合は前記置換した数字をインクリメントして別の宛先にアクセスする。これにより、オペレータは単に電話番号を入力するだけである宛先が話中の場合はインターネット電話機が別の宛先に順次自動的にかけ直してくれるので、同一グループ内のある電話機が話中の場合に一旦電話を切り、オペレータが隣接する別の電話機の電話番号を別途入力し直すという手間を省くことができ、電話をする際の操作負担を著しく軽減することができる。
【００３９】
また、前記特殊記号を数字変換できる範囲が示されることにより、前記範囲内で特殊記号は数字に変換され、話中の場合は前記範囲内でインクリメントされるので、前記範囲を超えてグループ内に存在しないＩＰアドレスに無駄にアクセスするという処理の発生を防止できる。
【００４０】
本発明の第９の態様に係るインターネット電話による通話方法は、入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が話中の場合前記変換した数字をインクリメントして新たなＩＰアドレスを生成し、このＩＰアドレスに基づいて別の宛先にアクセスし直すものである。
【００４１】
本発明の第１０の態様に係るインターネット電話による通話方法は、入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が話中の場合前記変換できる範囲内で数字をインクリメントして新たなＩＰアドレスを生成し、このＩＰアドレスに基づいて別の宛先にアクセスし直すものである。
【００４２】
本発明の第１１の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が話中の場合前記変換した数字をインクリメントして新たなＩＰアドレスを生成しこれに基づいて別の宛先にアクセスし直すものである。
【００４３】
本発明の第１２の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が話中の場合前記変換できる範囲内で数字をインクリメントして新たなＩＰアドレスを生成しこれに基づいて別の宛先にアクセスし直すものである。
【００４４】
本発明の第１３の態様に係るインターネット電話機は、入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が所定時間応答しない場合前記変換した数字をインクリメントして新たなＩＰアドレスを生成し、このＩＰアドレスに基づいて別の宛先にアクセスし直す構成を採る。
【００４５】
この構成によれば、サーバから受信したＩＰアドレスのホストアドレス部に特殊記号を確認すると、この特殊記号を数字に置換してアクセスし、その宛先が所定時間応答しない場合は前記置換した数字をインクリメントして別の宛先にアクセスする。これにより、オペレータは単に電話番号を入力するだけである宛先が所定時間応答しない場合は別の宛先に順次自動的にかけ直してくれるので、同一グループ内のある電話機が所定時間応答しない場合に一旦電話を切り、オペレータが隣接する別の電話機の電話番号を別途入力し直すという手間を省くことができ、電話をする際の操作負担を著しく軽減することができる。特に、複数の電話機が所定時間応答しない場合、操作負担を軽減する効果は一層大きくなる。
【００４６】
本発明の第１４の態様に係るインターネット電話機は、入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が所定時間応答しない場合前記変換できる範囲内で数字をインクリメントして新たなＩＰアドレスを生成し、このＩＰアドレスに基づいて別の宛先にアクセスし直す構成を採る。
【００４７】
この構成によれば、サーバから入力したＩＰアドレスのホストアドレス部に特殊記号を確認するとこの特殊記号を数字に置換してアクセスし、その宛先が所定時間応答しない場合は前記置換した数字をインクリメントして別の宛先にアクセスする。これにより、オペレータは単に電話番号を入力するだけである宛先が所定時間応答しない場合は別の宛先に順次自動的にかけ直してくれるので、同一グループ内のある電話機が所定時間応答しない場合に一旦電話を切り、オペレータが隣接する別の電話機の電話番号を別途入力し直すという手間を省くことができ、電話をする際の操作負担を著しく軽減することができる。
【００４８】
また、前記特殊記号を数字変換できる範囲が示されることにより、前記範囲内で特殊記号は数字に変換され、所定時間応答しない場合は前記範囲内でインクリメントされるので、前記範囲を超えてグループ内に存在しないＩＰアドレスに無駄にアクセスするという処理の発生を防止できる。
【００４９】
本発明の第１５の態様に係るインターネット電話に用いる制御装置は、インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が所定時間応答しない場合前記変換した数字をインクリメントして新たなＩＰアドレスを生成し、このＩＰアドレスに基づいて別の宛先にアクセスし直す構成を採る。
【００５０】
この構成によれば、インターネット電話機の機能を有しない電話機を接続して当該電話機をインターネット電話機として機能させ、サーバから入力したＩＰアドレスのホストアドレス部に特殊記号を確認するとこの特殊記号を数字に置換してアクセスし、その宛先が所定時間応答しない場合は前記置換した数字をインクリメントして別の宛先にアクセスする。これにより、オペレータは単に電話番号を入力するだけである宛先が所定時間応答しない場合は別の宛先に順次自動的にかけ直してくれるので、同一グループ内のある電話機が所定時間応答しない場合に一旦電話を切り、オペレータが隣接する別の電話機の電話番号を別途入力し直すという手間を省くことができ、電話をする際の操作負担を著しく軽減することができる。
【００５１】
本発明の第１６の態様に係るインターネット電話に用いる制御装置は、インターネット電話機としての機能を有しない電話機に接続され当該電話機をインターネット電話機として機能させる制御装置であって、前記電話機から電話番号の発呼を受けるとサーバに前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が所定時間応答しない場合前記変換できる範囲内で数字をインクリメントして新たなＩＰアドレスを生成し、このＩＰアドレスに基づいて別の宛先にアクセスし直す構成を採る。
【００５２】
この構成によれば、インターネット電話機の機能を有しない電話機を接続して当該電話機をインターネット電話機として機能させ、サーバから入力したＩＰアドレスのホストアドレス部に特殊記号を確認するとこの特殊記号を数字に置換してアクセスし、その宛先が所定時間応答しない場合は前記置換した数字をインクリメントして別の宛先にアクセスする。これにより、オペレータは単に電話番号を入力するだけである宛先が所定時間応答しない場合は別の宛先に順次自動的にかけ直してくれるので、同一グループ内のある電話機が所定時間応答しない場合に一旦電話を切り、オペレータが隣接する別の電話機の電話番号を別途入力し直すという手間を省くことができ、電話をする際の操作負担を著しく軽減することができる。
【００５３】
また、前記特殊記号を数字変換できる範囲が示されることにより、前記範囲内で特殊記号は数字に変換され、所定時間応答しない場合は前記範囲内でインクリメントされるので、前記範囲を超えてグループ内に存在しないＩＰアドレスに無駄にアクセスするという処理の発生を防止できる。
【００５４】
本発明の第１７の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が所定時間応答しない場合前記変換した数字をインクリメントして新たなＩＰアドレスを生成しこれに基づいて別の宛先にアクセスし直す構成を採る。
【００５５】
この構成によれば、サーバから受信したＩＰアドレスのホストアドレス部に特殊記号を確認すると、インターネット電話機がこの特殊記号を数字に置換してアクセスし、その宛先が所定時間応答しない場合は前記置換した数字をインクリメントして別の宛先にアクセスする。これにより、オペレータは単に電話番号を入力するだけである宛先が所定時間応答しない場合はインターネット電話機が別の宛先に順次自動的にかけ直してくれるので、同一グループ内のある電話機が所定時間応答しない場合に一旦電話を切り、オペレータが隣接する別の電話機の電話番号を別途入力し直すという手間を省くことができ、電話をする際の操作負担を著しく軽減することができる。特に、複数の電話機が所定時間応答しない場合、操作負担を軽減する効果は一層大きくなる。
【００５６】
本発明の第１８の態様に係るインターネット電話システムは、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が所定時間応答しない場合前記変換できる範囲内で数字をインクリメントして新たなＩＰアドレスを生成しこれに基づいて別の宛先にアクセスし直す構成を採る。
【００５７】
この構成によれば、サーバから受信したＩＰアドレスのホストアドレス部に特殊記号を確認すると、インターネット電話機がこの特殊記号を数字に置換してアクセスし、その宛先が所定時間応答しない場合は前記置換した数字をインクリメントして別の宛先にアクセスする。これにより、オペレータは単に電話番号を入力するだけである宛先が所定時間応答しない場合はインターネット電話機が別の宛先に順次自動的にかけ直してくれるので、同一グループ内のある電話機が所定時間応答しない場合に一旦電話を切り、オペレータが隣接する別の電話機の電話番号を別途入力し直すという手間を省くことができ、電話をする際の操作負担を著しく軽減することができる。
【００５８】
また、前記特殊記号を数字変換できる範囲が示されることにより、前記範囲内で特殊記号は数字に変換され、所定時間応答しない場合は前記範囲内でインクリメントされるので、前記範囲を超えてグループ内に存在しないＩＰアドレスに無駄にアクセスするという処理の発生を防止できる。
【００５９】
本発明の第１９の態様に係るインターネット電話による通話方法は、入力した電話番号を発呼し、サーバから前記電話番号に対応するＩＰアドレスを受信し、前記ＩＰアドレスの中のホストアドレス部に特殊記号の存在を確認すると、前記特殊記号を数字に変換したＩＰアドレスに基づいてアクセスし、その宛先が所定時間応答しない場合前記変換した数字をインクリメントして新たなＩＰアドレスを生成し、このＩＰアドレスに基づいて別の宛先にアクセスし直すものである。
【００６０】
本発明の第２０の態様に係るインターネット電話による通話方法は、入力した電話番号を発呼し、サーバから前記電話番号に対応するＩＰアドレスを受信し、前記ＩＰアドレスの中のホストアドレス部に特殊記号及び前記特殊記号を数字に変換できる範囲を示す情報を確認すると、前記特殊記号を数字に変換したＩＰアドレスに基づいてアクセスし、その宛先が所定時間応答しない場合前記変換できる範囲内で数字をインクリメントして新たなＩＰアドレスを生成し、このＩＰアドレスに基づいて別の宛先にアクセスし直すものである。
【００６１】
本発明の第２１の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号の存在を確認すると前記特殊記号を数字に変換したＩＰアドレスに基づいてアクセスしその宛先が所定時間応答しない場合前記変換した数字をインクリメントして新たなＩＰアドレスを生成しこれに基づいて別の宛先にアクセスし直すものである。
【００６２】
本発明の第２２の態様に係るインターネット電話による通話方法は、サーバはネットワークを介して接続する各インターネット電話機の電話番号及び前記電話番号に対応するＩＰアドレスを登録する記憶手段を有し、前記記憶手段は前記ＩＰアドレスのホストアドレス部に数字の代わりに特殊記号及び前記特殊記号を数字に変換できる範囲を示す情報を入れて登録してあり、先ずインターネット電話機が電話番号を発呼すると、次にサーバは前記電話番号に対応するＩＰアドレスを前記記憶手段から読出して前記発呼したインターネット電話機に返送し、次にインターネット電話機は前記ＩＰアドレスを受信して前記ＩＰアドレスの中のホストアドレス部に特殊記号及び前記特殊記号を数字に変換できる範囲を示す情報を確認すると前記特殊記号を数字に変換したＩＰアドレスに基づいてアクセスしその宛先が所定時間応答しない場合前記変換できる範囲内で数字をインクリメントして新たなＩＰアドレスを生成しこれに基づいて別の宛先にアクセスし直すものである。
【００６３】
以下、本発明の実施の形態について図面を参照して詳細に説明する。
【００６４】
図１は、本発明の一実施の形態に係るインターネット電話機が接続されるネットワークの構成を示す図である。同図に示すネットワークにおいては、呼管理サーバ（以下、「サーバ」という）１０１にルータＡ１０２とルータＢ１０３が接続されている。ルータＡ１０２にグループ（Ａ）を形成するＡ１〜Ａ４のインターネット電話機が接続され、ルータＢ１０３にグループ（Ｂ）を形成するＢ１〜Ｂ４のインターネット電話機が接続されている。それぞれのグループは、会社内の部署毎に設定され、部署におけるインターネット電話機の配置は、同図に示す配置と同一であるものとする。
【００６５】
なお、図１においては、各ルータにインターネット電話機が接続された場合について示しているが、このインターネット電話機は、通常の電話機（インターネット電話機の機能を有しないもの）をインターネット電話機の機能を実現させる制御装置（以下、「制御アダプタ」という）に接続して構成してもよい。以下の本実施の形態の説明では、かかる制御アダプタに通常の電話機を接続したものをインターネット電話機として説明する。
【００６６】
図２は、本実施の形態に係るインターネット電話機の構成を示すブロック図である。
【００６７】
同図に示すように、本実施の形態に係るインターネット電話機は、制御アダプタ２０１に通常の電話機２０２を接続して構成される。なお、本実施の形態に係る制御アダプタ２０１は、２台の通常の電話機２０２を接続可能であり、各電話機をインターネット電話機として機能させることができる。なお、制御アダプタ２０１が接続可能な電話機を３台以上にすることも当然に可能である。
【００６８】
制御アダプタ２０１は、装置本体の全体を制御するＣＰＵ２０３を備えている。このＣＰＵ２０３に制御バス２０４を介してＲＯＭ２０５及びＲＡＭ２０６が接続されている。ＲＯＭ２０５には、ＣＰＵ２０３が読み込んで実行する本制御アダプタ２０１の制御プログラムが格納されている。ＲＡＭ２０６は、ＣＰＵ２０３が制御プログラムを実行する際のワークメモリとして機能する。なお、本制御アダプタ２０１においては、ＲＯＭ２０５としてフラッシュＲＯＭを用い、ＲＡＭ２０６としてＳＤＲＡＭを用いる。
【００６９】
また、ＣＰＵ２０３にポート２０７を介してクロスポイントミキサ２０８が接続されている。クロスポイントミキサ２０８は、後述するＮＣＵを介して接続された２台の電話機に提供する通話路の切換え機能及びミキシング機能を備える。
【００７０】
クロスポイントミキサ２０８にＮＣＵ（Network Control Unit）２０９が接続されている。ＮＣＵ２０９は、本制御アダプタ２０１に接続された電話回線を制御して通信相手との回線の接続又は切断を行う。
【００７１】
さらに、ＣＰＵ２０３に制御バス２０４を介してＡ／Ｄ・Ｄ／ＡＣＯＤＥＣ２１０及びＬＡＮコントローラ２１１が接続されている。Ａ／Ｄ・Ｄ／ＡＣＯＤＥＣ２１０は、電話機２０２から入力された音声データをアナログ／デジタル変換を行った後、圧縮処理を施す。一方、ＬＡＮコントローラ２１１を介して受け取った圧縮データを復元した後、デジタル／アナログ変換処理を施す。
【００７２】
ＬＡＮコントローラ２１１は、本制御アダプタ２０１が接続されたネットワークを構成するイーサネット（Ｒ）との間で信号の制御を行う。なお、ネットワーク上を送信されるパケットデータの組立て及び解析は、ＬＡＮコントローラ２１１によって行われる。
【００７３】
なお、以上の制御アダプタ２０１に通常の電話機を接続せずに、インターネット電話機でかかる構成を実現する場合には、本制御アダプタ２０１の機能を有する制御ボードをインターネット電話機に搭載することで実現可能である。
【００７４】
図３は、本実施の形態に係るサーバ１０１の概略構成を示すブロック図である。本実施の形態に係るサーバ１０１は、ホスト名の問い合わせに応じてＩＰアドレスを通知するＤＮＳ（Domain Name System）サーバとしての機能を有する。特に、本実施の形態では、ホスト名が電話番号で特定されるＥＮＵＭ（Telephone Number Mapping）技術を取り入れたサーバ（ＥＮＵＭサーバ）としての機能を有する。
【００７５】
同図に示すように、本実施の形態に係るサーバ１０１は、サーバ１０１全体の制御を行う制御手段としてのＣＰＵ３０１を備えている。このＣＰＵ３０１に制御バス３０２を介して記憶手段としてのメモリ３０３、ネットワークインターフェイス（Ｉ／Ｆ）３０４及び入出力装置３０５が接続されている。
【００７６】
メモリ３０３は、ＣＰＵ３０１が読み込んで実行する本サーバ１０１の制御プログラムを格納するＲＯＭ及びＣＰＵ３０１が制御プログラムを実行する際のワークメモリとして機能するＲＡＭの機能を有する。
【００７７】
なお、メモリ３０３のうち、ＲＡＭとして機能する領域にはネットワークを介して接続されたインターネット電話機毎の電話番号(内線番号)とその電話番号に対応するＩＰアドレスが登録されている。このインターネット電話機毎の電話番号(内線番号)及びＩＰアドレスの登録状況については後述する。
【００７８】
ネットワークＩ／Ｆ３０４は、本サーバ１０１が接続されたネットワークを構成するイーサネット（Ｒ）との間で信号の制御を行う。入出力装置３０５は、キーボードやマウス等の入力手段と液晶モニタ等の出力手段で構成され、オペレータの入力を受け付ける一方、本サーバ１０１における動作状態を出力する。
【００７９】
図４は、本実施の形態に係るサーバ１０１のメモリ３０３に登録されたインターネット電話機に割り当てられた電話番号と各電話番号に対応するＩＰアドレスとが登録された管理表を示している。なお、図４においては、図１で示したネットワークの構成に対応した管理表を示している。
【００８０】
本実施の形態に係るサーバ１０１のメモリ３０３内に登録された管理表には、インターネット電話機（端末）に割り当てられた電話番号とその電話番号に対応するＩＰアドレスが登録されると共に、複数台のインターネット電話機（端末）で形成されるグループを示す電話番号とその電話番号に対応するＩＰアドレスが登録されている。具体的には、図４におけるグループＡを示す「Ａｇｒｐ」に対応する電話番号及びＩＰアドレスである。
【００８１】
このグループを示す電話番号に対応するＩＰアドレスのうち、ホストアドレス部には数字の代わりに特殊記号を入れて登録されている。ホストアドレス部に特殊記号を入れて登録しておくことで、当該ＩＰアドレスがグループを示すＩＰアドレスであることが識別される。
【００８２】
ホストアドレス部に特殊記号を入れるに当たっては、複数の構成が考えられる。ホストアドレス部に入れる特殊記号の構成は、ネットワーク管理者により設定される。かかる特殊記号の構成は、ネットワーク上で統一して設定される。すなわち、ネットワーク上の異なるグループにおいても、同一の特殊記号の構成を採用することが前提となる。
【００８３】
まず、ＩＰアドレスのうち、第１から第３オクテットをネットワークアドレス部とする一方、第４オクテットをホストアドレス部とし、第４オクテット全体を特殊記号に置換する構成について説明する。
【００８４】
図４（ａ）は、かかる場合の管理表の構成例を示している。同図に示すように、メモリ３０３には、グループ（Ａ）の管理表(以下、「管理表Ａ」という)とグループ（Ｂ）の管理表（以下、「管理表Ｂ」という）が登録されている。
【００８５】
管理表Ａには、グループ（Ａ）に属するインターネット電話機（端末）Ａ１〜Ａ４の電話番号として「１００１」〜「１００４」が登録され、また各電話番号に対応するＩＰアドレスとして「１９２．１６８．１．１」〜「１９２．１６８．１．４」が登録されている。さらに、管理表Ａには、グループ（Ａ）を示す「Ａｇｒｐ」の電話番号として「１０００」が登録され、またその電話番号に対応するＩＰアドレスとして「１９２．１６８．１．＊」が登録されている。すなわち、特殊記号として「＊」を用いている。
【００８６】
なお、本実施の形態では、上述のＩＰアドレスとして、プライベートアドレスである（１９２．１６８．＊．＊）を用いて説明しているが、グローバルアドレスでも同様の考え方で適用することができる。
【００８７】
一方、管理表Ｂには、グループ（Ｂ）に属するインターネット電話機（端末）Ｂ１〜Ｂ４の電話番号として「２００１」〜「２００４」が登録され、また各電話番号に対応するＩＰアドレスとして「１９２．１６８．２．１」〜「１９２．１６８．２．４」が登録されている。さらにグループ（Ｂ）を示す「Ｂｇｒｐ」の電話番号として「２０００」が登録され、またその電話番号に対応するＩＰアドレスとして「１９２．１６８．２．＊」が登録されている。
【００８８】
次に、ＩＰアドレスのうち、ネットワークアドレス部を特定する際、ＣＩＤＲ（Classless Inter-Domain Routing）を用いてオクテット単位でなく、より細かい単位で特定し、ネットワークアドレス部とホストアドレス部との区切りを有するオクテットに特殊記号を入れる構成について説明する。
【００８９】
図４（ｂ）は、かかる場合の管理表の構成例を示している。管理表Ａには、グループ（Ａ）に属するインターネット電話機（端末）Ａ１〜Ａ４の電話番号として「１００１」〜「１００４」が登録され、また各電話番号に対応するＩＰアドレスとして「１９２．１６８．１．１」〜「１９２．１６８．１．４」が登録されている。さらに、管理表Ａには、グループ（Ａ）を示す「Ａｇｒｐ」の電話番号として「１０００」が登録され、またその電話番号に対応するＩＰアドレスとして「１９２．１６８．１．０／２９」が登録されている。すなわち、特殊記号として「／」を用いている。
【００９０】
一方、管理表Ｂには、グループ（Ｂ）に属するインターネット電話機（端末）Ｂ１〜Ｂ４の電話番号として「２００１」〜「２００４」が登録され、また各電話番号に対応するＩＰアドレスとして「１９２．１６８．１．６５」〜「１９２．１６８．１．６８」が登録されている。さらにグループ（Ｂ）を示す「Ｂｇｒｐ」の電話番号として「２０００」が登録され、またその電話番号に対応するＩＰアドレスとして「１９２．１６８．１．６４／２９」が登録されている。
【００９１】
ここで、特殊記号である「／」の後ろの数値（２９）は、ネットワークアドレス部がＩＰアドレスのうち２９ビットで構成され、ホストアドレス部が３ビットで構成されていることを示している。ホストアドレス部が３ビットということは、グループに属するインターネット電話機（端末）として最大６台が設定可能であることを示す。すなわち、３ビットで特定される８つのＩＰアドレスのうち、ネットワークアドレスとブロードキャストアドレスが除かれるからである。本実施の形態では、最大６台のうち、４台のインターネット電話機でグループ（Ａ）及びグループ（Ｂ）を構成した場合について示している。
【００９２】
図４（ｃ）は、図４（ｂ）のグループ（Ａ）を示す「Ａｇｒｐ」のＩＰアドレスに特殊記号として入れた「／」とネットワークアドレス部を示す数値「２９」とを「Ａｇｒｐ」のみならず、グループ（Ａ）に属するインターネット電話機（端末）の全てのＩＰアドレスに入れた点で図４（ｂ）の構成と相違する。このように変更することで、特定の端末が指定された場合であっても後述するグループ通話が可能となる。例えば、特定の端末として端末Ｂ３が指定された場合であって、端末Ｂ３及び端末Ｂ４が話中の場合には端末Ｂ１に発呼処理を行うことができる。なお、かかる処理については後述する。
【００９３】
本実施の形態のサーバ１０１のメモリ３０３の管理表においては、例えば、図４（ａ）〜（ｃ）のように構成されたＩＰアドレスの登録が可能であり、ネットワークに接続されたインターネット電話機からＩＰアドレスの問い合わせを受けると、その登録内容に応じて問い合わせてきた宛先端末のＩＰアドレスを応答する。
【００９４】
このようにサーバ１０１のメモリ３０３には、ＩＰアドレスのホストアドレス部に数字の代わりに特殊記号を入れて登録することが可能である。これにより、ネットワーク上のインターネット電話機からＩＰアドレスの問い合わせを受けると、特定のインターネット電話機のＩＰアドレスではなく、特定のインターネット電話機を含むグループのＩＰアドレスを、問い合わせしてきたインターネット電話機に通知することになるので、後述するように、インターネット電話機の方では宛先が話中の場合は順次同一グループに属する別の宛先にかけ直す処理が可能となる。
【００９５】
特に、図４（ｂ）及び（ｃ）のように特殊記号を数字に変換できる範囲を示す情報をも登録することが可能である。これにより、ＩＰアドレスの問い合わせを受けると、特定のインターネット電話機のＩＰアドレスではなく、特定のインターネット電話機を含むグループのＩＰアドレスを発呼したインターネット電話機に通知する場合に、そのグループ内で使用できるＩＰアドレスの範囲をも通知できる。したがって、インターネット電話機の方で無駄にグループ内に存在しないＩＰアドレスにアクセスする処理が発生するのを防止できる。
【００９６】
以下、上記管理表を登録したサーバ１０１に接続された本インターネット電話機の動作について説明する。図５〜図７は、本実施の形態に係るインターネット電話機の動作について説明するためのフロー図である。なお、以下の説明においては、サーバ１０１のメモリ３０３に上述のように登録されたＩＰアドレスの構成に分けて説明する。すなわち、図４（ａ）〜（ｃ）の構成に分けて説明する。
【００９７】
図５は、本実施の形態に係るインターネット電話機の全体動作を説明するためのフロー図である。かかる全体動作は、サーバ１０１のメモリ３０３内の登録内容に関わらず同一である。
【００９８】
本インターネット電話機は、オペレータから電話番号の入力を受けて動作を開始する。オペレータから電話番号の入力を受け付けると、本インターネット電話機は、サーバ１０１に当該電話番号に対応するＩＰアドレスを問い合わせ、当該電話番号に対応するＩＰアドレスを得る（ＳＴ５０１）。
【００９９】
入力した電話番号のＩＰアドレスを得ると、本インターネット電話機は、グループ確認処理を行う（ＳＴ５０２）。このグループ確認処理においては、当該宛先電話番号がグループを指定した通話（以下、「グループ通話」という）であるか、グループ通話である場合に対象のグループに属するインターネット電話機（端末）の台数が何台であるかが確認される。
【０１００】
グループ確認処理を行った後、本インターネット電話機は、宛先発呼処理を行う（ＳＴ５０３）。この宛先発呼処理においては、入力電話番号により指定されたＩＰアドレス(以下、「指定ＩＰアドレス」という)への発呼処理、あるいは、グループ確認処理においてグループ通話と確認された場合に当該グループに属するインターネット電話機のＩＰアドレスへの発呼処理が行われる。
【０１０１】
宛先発呼処理を行った後、本インターネット電話機は、後述する発呼結果の状態が「通話ＯＫ」であるか判断する（ＳＴ５０４）。ここで、発呼結果の状態が「通話ＯＫ」の場合には通話処理に移行する一方（ＳＴ５０５）、「通話ＯＫ」以外の場合には切断処理に移行する（ＳＴ５０６）。
【０１０２】
図６は、上述のグループ確認処理を説明するためのフロー図を示し、図７は、上述の宛先発呼処理を説明するためのフロー図を示している。グループ確認処理以降の動作は、サーバ１０１のメモリ３０３に登録されたＩＰアドレスの構成に応じて異なってくる。まず、図４（ａ）のようにＩＰアドレスが構成された場合について説明し、次に図４（ｂ）、図４（ｃ）のようにＩＰアドレスが構成された場合について説明する。以下、図４（ａ）のようにＩＰアドレスが構成された場合を、単に図４（ａ）の場合という。図４（ｂ）及び（ｃ）についても同様である。
【０１０３】
グループ確認処理を開始すると、本インターネット電話機は、まず、現在の通話がグループ通話であるか否かを示すグループフラグを初期化する（ＳＴ６０１）。具体的には、グループフラグの状態をＯＦＦとする。なお、このグループフラグは、ＲＡＭ２０６の所定領域に登録されるものである。
【０１０４】
次に、サーバ１０１から回答された入力電話番号のＩＰアドレスに特殊記号が含まれているか判断する（ＳＴ６０２）。ここでは、回答されたＩＰアドレスに特殊記号として「＊」が含まれているかを判断することとなる。「＊」が含まれている場合にはグループ通話が指定されたことを示し、含まれていない場合にはグループでなく特定の電話番号との通話が指定されたことを示す。ここでは、「＊」が含まれているものとする。
【０１０５】
特殊記号として「＊」が含まれている場合には、上述のグループフラグの状態をＯＮに切り替える（ＳＴ６０３）。グループフラグの状態がＯＮとされることにより、この通話がグループ通話であることが特定される。
【０１０６】
次に、サーバ１０１から回答された入力電話番号のＩＰアドレスに、マスクデータが記述されているかを判断する（ＳＴ６０４）。具体的には、回答されたＩＰアドレスに「／」が記述されているかを判断することでマスクデータの有無を判断する。
【０１０７】
ここで、ＩＰアドレスに特殊記号として「／」が入れられる場合とは、図４（ｂ）及び（ｃ）の場合である。図４（ａ）の場合には、ＩＰアドレスに特殊記号として「＊」が入れてあるため、「／」が検出されることはない。したがって、本インターネット電話機は、処理をＳＴ６０５に進める。マスクデータの記述がある場合については、図４（ｂ）の場合において説明する。
【０１０８】
回答されたＩＰアドレスにマスクデータの記述がない場合には、本インターネット電話機は、自己の端末の設定に基づいてマスクデータを取得する（ＳＴ６０５）。すなわち、ＳＴ６０４でマスクデータの記述がない場合は、特殊記号として「＊」が含まれていることが認識される。そして、特殊記号として「＊」が含まれている場合には、宛先のインターネット電話機のＩＰアドレスの設定も同一であることが認識できるため、第１〜第３オクテットにネットワークアドレス部が割り当てられていることが認識できる。このため、第１〜第３オクテットの全てのビットを「１」としたデータをマスクデータとして取得する。
【０１０９】
そして、取得したマスクデータと回答されたＩＰアドレスとに基づいてマスクデータを展開し、ＲＡＭ２０６の所定領域に記憶する（ＳＴ６０６）。例えば、サーバ１０１から「＊」を含むＩＰアドレスとして、「Ｂｇｒｐ」のＩＰアドレス「１９２．１６８．２．＊」が回答された場合には、この「＊」部分を「０」に置換したマスクデータ、つまり「１１１１１１１１．１１１１１１１１．１１１１１１１１．００００００００」を記憶する。
【０１１０】
このようにマスクデータを記憶した後、本インターネット電話機は、このグループ通話で発呼するＩＰアドレスの範囲及び端末台数のスケジュールを作成する処理（以下、「スケジュール作成処理」という）を開始する（ＳＴ６０７）。
【０１１１】
スケジュール作成処理では、まず、サーバ１０１から回答されたＩＰアドレスとマスクデータとの論理積の数値に「１」を加えたＩＰアドレスを求め、当該グループのうち、最もＩＰアドレスの数値が低いＩＰアドレス（以下、「範囲開始アドレス」という）を得る（ＳＴ６０８）。
【０１１２】
上述の「Ｂｇｒｐ」のＩＰアドレス「１９２．１６８．２．＊」が回答された場合には、本インターネット電話機は、これを解析して当該ＩＰアドレスの２進数表示である「１１００００００．１０１０１０００．００００００１０．＊＊＊＊＊＊＊＊」を得る。これと上述のマスクデータである「１１１１１１１１．１１１１１１１１．１１１１１１１１．００００００００」との論理積（１１００００００．１０１０１０００．００００００１０．００００００００）に「１」を加えた「１１００００００．１０１０１０００．００００００１０．０００００００１」（１９２．１６８．２．１）を範囲開始アドレスとして得る。
【０１１３】
次に、サーバ１０１から回答されたＩＰアドレスから認識されるブロードキャストアドレスの数値から「１」を差し引いたＩＰアドレスを求め、当該グループのうち、最もＩＰアドレスの数値が高いＩＰアドレス（以下、「範囲終了アドレス」という）を得る（ＳＴ６０９）。
【０１１４】
上述の「Ｂｇｒｐ」のＩＰアドレス「１９２．１６８．２．＊」が回答された場合には、このＩＰアドレスから認識されるブロードキャストアドレス（１９２．１６８．２．２５５）の２進数表示である「１１００００００．１０１０１０００．００００００１０．１１１１１１１１」から「１」を差し引いた「１１００００００．１０１０１０００．００００００１０．１１１１１１１０」（１９２．１６８．２．２５４）を範囲終了アドレスとして得る。
【０１１５】
さらに、範囲終了アドレスから範囲開始アドレスを差し引いた数値に「１」を加えた数値を、グループに属するインターネット電話機（端末）の台数（以下、「グループ端末台数」という）として得る。そして、このグループ端末台数をＲＡＭ２０６の所定領域に設けられたグループ端末台数のカウンタ（以下、「台数カウンタ」という）にセットする（ＳＴ６１０）。なお、上述の範囲開始アドレス及び範囲終了アドレスは、ＲＡＭ２０６の所定領域に格納される。
【０１１６】
上述の「Ｂｇｒｐ」のＩＰアドレス「１９２．１６８．２．＊」が回答された場合には、範囲終了アドレスとして得た「１１００００００．１０１０１０００．００００００１０．１１１１１１１０」から範囲開始アドレスとして得た「１１００００００．１０１０１０００．００００００１０．０００００００１」を差し引いた数値に「１」を加えた数値の１０進数表示である「２５４」がグループ端末台数として台数カウンタにセットされる。
【０１１７】
このようにしてスケジュール作成処理まで終了すると、本インターネット電話機は、グループ確認処理を終了する。
【０１１８】
なお、ＳＴ６０２の判断において、回答されたＩＰアドレスに特殊記号として「＊」が含まれていないと判断した場合には、本インターネット電話機は、台数カウンタに「１」をセットし（ＳＴ６１１）、グループ確認処理を終了する。すなわち、この場合は、特定の電話番号との通話が指定されることとなるため、発呼すべきインターネット電話機を１台にセットしてグループ確認処理を終了することとなる。
【０１１９】
グループ確認処理を終了し、宛先発呼処理を開始すると、本インターネット電話機は、まず、発呼結果の状態を初期化する（ＳＴ７０１）。具体的には、発呼結果の状態が「通話ＯＫ」であるか、「通話ＮＧ」であるかの状態を登録しておくＲＡＭ２０６上の所定領域に待機中である旨を登録することで初期化を行う。
【０１２０】
次に、本インターネット電話機は、上述した指定ＩＰアドレスへ発呼処理を行う（ＳＴ７０２）。サーバ１０１から特定のインターネット電話機、例えば、端末Ｂ１に対応するＩＰアドレス「１９２．１６８．２．１」が回答された場合には、当該指定ＩＰアドレスに発呼する。一方、サーバ１０１から「Ｂｇｒｐ」のＩＰアドレス「１９２．１６８．２．＊」が回答された場合には、指定ＩＰアドレスとしてスケジュール作成処理で得た範囲開始アドレスに発呼する。
【０１２１】
発呼処理を行った後、当該宛先と接続できたかを判断する（ＳＴ７０３）。ここで、接続できたならば、本インターネット電話機は、発呼結果の状態を「通話ＯＫ」に切り替えて（ＳＴ７０４）、当該宛先発呼処理を終了する。
【０１２２】
一方、接続できなかったならば、本インターネット電話機は、台数カウンタの数値から「１」を差し引いた後（ＳＴ７０５）、台数カウンタの数値が「０」であるかを判断する（ＳＴ７０６）。ここで、台数カウンタの数値が「０」の場合には、本インターネット電話機は、発呼結果の状態を「通話ＮＧ」に切り替えて（ＳＴ７０７）、当該宛先発呼処理を終了する。
【０１２３】
上述の例でいえば、サーバ１０１から端末Ｂ１に対応するＩＰアドレス「１９２．１６８．２．１」が回答された場合には台数カウンタに数値「１」が登録されている。このため、端末Ｂ１と接続できなかった場合には、ＳＴ７０５の処理において台数カウンタの数値が「０」とされ、ＳＴ７０６の処理において台数カウンタの数値が「０」と判断される。この場合には、発呼結果の状態が「通話ＮＧ」とされた後（ＳＴ７０７）、宛先発呼処理が終了する。
【０１２４】
一方、サーバ１０１から「Ｂｇｒｐ」のＩＰアドレス「１９２．１６８．２．＊」が回答された場合には、台数カウンタには上述のように「２５４」が登録されている。このため、端末Ｂ１と接続できなかった場合にＳＴ７０５の処理において台数カウンタの数値から「１」を差し引いた場合であっても、ＳＴ７０６の処理において台数カウンタの数値が「０」とは判断されない。この場合、本インターネット電話機は、指定ＩＰアドレスの数値を１つインクリメントして（ＳＴ７０８）、インクリメント後のＩＰアドレスを指定ＩＰアドレスとし、指定ＩＰアドレスの数値が範囲終了アドレスを超えたかどうかを判断する（ＳＴ７０９）。
【０１２５】
インクリメント後の指定ＩＰアドレスの数値が範囲終了アドレスを超えていないならば、本インターネット電話機は、処理をＳＴ７０２に戻し、再び指定ＩＰアドレスに対して発呼処理を行い、接続できたならば発呼結果の状態を切り替えた後に宛先発呼処理を終了する一方、接続できないならば同様に指定ＩＰアドレスの数値をインクリメントした後、ＳＴ７０２〜ＳＴ７０９の処理を繰り返す。
【０１２６】
このような処理を繰り返すうち、台数カウンタの数値が「０」となった場合には、指定されたグループ内のどのインターネット電話機にも接続できなかったと判断して発呼結果の状態を「通話ＮＧ」に切り替えて宛先発呼処理を終了する。
【０１２７】
なお、上述のようにサーバ１０１から「Ｂｇｒｐ」のＩＰアドレス「１９２．１６８．２．＊」が回答された場合には、台数カウンタにグループ（Ｂ）のインターネット電話機の台数が登録され、ＳＴ７０５の処理により台数カウンタの数値を減らしていくため、ＳＴ７０２〜ＳＴ７０９の処理を繰り返す間に指定ＩＰアドレスが範囲終了アドレスを超えることはない。
【０１２８】
しかし、宛先発呼処理においては、ＳＴ７０９で指定ＩＰアドレスの数値が範囲終了アドレスを超える場合に、指定ＩＰアドレスに範囲開始アドレスをセットする処理（ＳＴ７１０）を用意している。これは、サーバ１０１のメモリ３０３に登録されたＩＰアドレスが図４（ｃ）の構成を取った場合に実行されるものである。このため、ＳＴ７１０の処理については、図４（ｃ）の場合において説明する。
【０１２９】
次に、図４（ｂ）の場合におけるグループ管理処理及び宛先発呼処理ついて説明する。
【０１３０】
図４（ｂ）の場合においても、本インターネット電話機は、まず、グループフラグを初期化した後（ＳＴ６０１）、サーバ１０１から回答された入力電話番号のＩＰアドレスに特殊記号が含まれているか判断する（ＳＴ６０２）。ここでは、回答されたＩＰアドレスに特殊記号として「／」が含まれているかを判断することとなる。「／」が含まれている場合にはグループ通話が指定されたことを示し、含まれていない場合にはグループでなく特定の電話番号との通話が指定されたことを示す。ここでは、「／」が含まれているものとする。なお、特殊記号である「／」が含まれていない場合、すなわち、特定の電話番号との通話が指定された場合の動作については、図４（ａ）の場合と同様に行われるため、その説明を省略する。
【０１３１】
特殊記号として「／」が含まれている場合には、上述のグループフラグの状態をＯＮとした後（ＳＴ６０３）、サーバ１０１から回答された入力電話番号のＩＰアドレスに、マスクデータが記述されているかを判断する（ＳＴ６０４）。ここでは、本インターネット電話機において、特殊記号として「＊」が設定されているか、「／」が設定されているかを判断している。図４（ｂ）の場合には、ＩＰアドレスに特殊記号として「／」が入れてあるため、本インターネット電話機は、処理をＳＴ６０６に進める。
【０１３２】
ＳＴ６０６においては、ＩＰアドレスに記述されたマスクデータを展開し、ＲＡＭ２０６上の所定領域に記憶する。このマスクデータの展開について、サーバ１０１から「／」を含むＩＰアドレスとして、「Ｂｇｒｐ」のＩＰアドレス「１９２．１６８．１．６４／２９」が回答された例を用いて説明する。
【０１３３】
この場合、本インターネット電話機は、このＩＰアドレスのうち、「／」の後ろの数値がマスクデータを示すことを認識する。すなわち、上位２９ビットに「１」を並べた「１１１１１１１１．１１１１１１１１．１１１１１１１１．１１１１１０００」をマスクデータとして認識する。そして、本インターネット電話機は、当該マスクデータをＲＡＭ２０６の所定領域に記憶する。
【０１３４】
マスクデータを記憶した後、本インターネット電話機は、スケジュール作成処理を開始する（ＳＴ６０７）。スケジュール作成処理では、ＩＰアドレスを図４（ａ）の場合と同様の要領で範囲開始アドレス及び範囲終了アドレスを求めると共に（ＳＴ６０８及びＳＴ６０９）、グループ端末台数を求めて台数カウンタにセットする（ＳＴ６１０）。
【０１３５】
すなわち、サーバ１０１から「Ｂｇｒｐ」のＩＰアドレス「１９２．１６８．１．６４／２９」が回答された場合には、本インターネット電話機は、これを解析して当該ＩＰアドレスの２進数表示である「１１００００００．１０１０１０００．００００００１０．０１００００００」を得る。これと上述のマスクデータである「１１１１１１１１．１１１１１１１１．１１１１１１１１．１１１１１０００」との論理積（１１００００００．１０１０１０００．００００００１０．０１００００００）に「１」を加えた「１１００００００．１０１０１０００．０００００００１．０１０００００１」（１９２．１６８．１．６５）を範囲開始アドレスとして得る。
【０１３６】
また、このＩＰアドレスから認識されるブロードキャストアドレスある「１１００００００．１０１０１０００．０００００００１．０１０００１１１」から「１」を差し引いた「１１００００００．１０１０１０００．０００００００１．０１０００１１０」（１９２．１６８．１．７０）を範囲終了アドレスとして得る。さらに、範囲終了アドレスから範囲開始アドレスを差し引いた数値に「１」を加えた数値（６）を台数カウンタにセットする。
【０１３７】
このようにしてスケジュール作成処理まで終了すると、本インターネット電話機は、グループ確認処理を終了し、宛先発呼処理を開始する。図４（ｂ）の場合の宛先発呼処理は、図４（ａ）のようにＩＰアドレスが構成された場合と同一の要領で行われるため、その詳細な説明を省略する。
【０１３８】
すなわち、サーバ１０１から特定のインターネット電話機（端末）に対応するＩＰアドレス、例えば、端末Ｂ１に対応するＩＰアドレス「１９２．１６８．１．６５」が回答された場合には、当該ＩＰアドレスを指定ＩＰアドレスとして発呼する。一方、サーバ１０１から「Ｂｇｒｐ」のＩＰアドレス「１９２．１６８．１．６４／２９」が回答された場合には、指定ＩＰアドレスとしてスケジュール作成処理で得た範囲開始アドレスに発呼し、接続されるまで範囲終了アドレスに到達するまでＩＰアドレスの数値をインクリメントして発呼処理を繰り返す。そして、発呼処理を繰り返すうち、台数カウンタの数値が「０」となった場合には発呼結果の状態を「通話ＮＧ」に切り替えて宛先発呼処理を終了する。
【０１３９】
なお、宛先発呼処理のうち、ＳＴ７１０の処理は、上述のようにＩＰアドレスが図４（ｃ）の構成を採った場合に実行されるものであるため、図４（ｂ）の場合にも、同処理が実行されることはない。
【０１４０】
次に、図４（ｃ）の場合におけるグループ管理処理及び宛先発呼処理について説明する。
【０１４１】
図４（ｃ）の場合においても、本インターネット電話機は、まず、グループフラグを初期化した後（ＳＴ６０１）、サーバ１０１から回答された入力電話番号のＩＰアドレスに特殊記号が含まれているか判断する（ＳＴ６０２）。ここでは、回答されたＩＰアドレスに特殊記号として「／」が含まれているかを判断することとなる。
【０１４２】
なお、図４（ｃ）の場合には全てのインターネット電話機のＩＰアドレスに特殊記号である「／」が含まれているため、ＳＴ６０２の判断で処理がＳＴ６１１に移行することはなく、処理は全てＳＴ６０３に移行する。
【０１４３】
また、図４（ｃ）の場合において、特殊記号である「／」を含むＩＰアドレスのうち、グループに対応するＩＰアドレス（例えば、「Ｂｇｒｐ」に対応する「１９２．１６８．１．６４／２９」）がサーバ１０１から回答された場合の動作については、図４（ｂ）の場合と同様に行われるため、その説明を省略する。
【０１４４】
ＳＴ６０３においてグループフラグの状態をＯＮとした後、本インターネット電話機は、サーバ１０１から回答された入力電話番号のＩＰアドレスに、マスクデータが記述されているかを判断する（ＳＴ６０４）。ここでは、図４（ｂ）の場合と同様に、特殊記号として「＊」が設定されているか、「／」が設定されているかを判断している。図４（ｃ）の場合には、ＩＰアドレスに特殊記号として「／」が入れてあるため、本インターネット電話機は、処理をＳＴ６０６に進める。
【０１４５】
ＳＴ６０６においては、ＩＰアドレスに記述されたマスクデータを展開し、ＲＡＭ２０６上の所定領域に記憶する。このマスクデータの展開について、サーバ１０１から「／」を含むＩＰアドレスとして、端末Ｂ３のＩＰアドレス「１９２．１６８．１．６７／２９」が回答された例を用いて説明する。
【０１４６】
この場合、本インターネット電話機は、図４（ｂ）の場合と同様に、上位２９ビットに「１」を並べた「１１１１１１１１．１１１１１１１１．１１１１１１１１．１１１１１０００」をマスクデータとして認識する。そして、本インターネット電話機は、当該マスクデータをＲＡＭ２０６の所定領域に記憶する。
【０１４７】
マスクデータを記憶した後、本インターネット電話機は、スケジュール作成処理を開始する（ＳＴ６０７）。スケジュール作成処理では、図４（ａ）又は（ｂ）の場合と同様の要領で範囲開始アドレス及び範囲終了アドレスを求めると共に（ＳＴ６０８及びＳＴ６０９）、グループ端末台数を求めて台数カウンタにセットする（ＳＴ６１０）。
【０１４８】
すなわち、サーバ１０１から端末Ｂ３のＩＰアドレス「１９２．１６８．１．６７／２９」が回答された場合には、本インターネット電話機は、これを解析して当該ＩＰアドレスの２進数表示である「１１００００００．１０１０１０００．００００００１０．０１００００１１」を得る。これと上述のマスクデータである「１１１１１１１１．１１１１１１１１．１１１１１１１１．１１１１１０００」との論理積（１１００００００．１０１０１０００．００００００１０．０１００００００）に「１」を加えた「１１００００００．１０１０１０００．０００００００１．０１０００００１」（１９２．１６８．１．６５）を範囲開始アドレスとして得る。
【０１４９】
また、このＩＰアドレスから認識されるブロードキャストアドレスある「１１００００００．１０１０１０００．０００００００１．０１０００１１１」から「１」を差し引いた「１１００００００．１０１０１０００．０００００００１．０１０００１１０」（１９２．１６８．１．７０）を範囲終了アドレスとして得る。さらに、範囲終了アドレスから範囲開始アドレスを差し引いた数値に「１」を加えた数値（６）を台数カウンタにセットする。
【０１５０】
ここで求められる範囲開始アドレス及び範囲終了アドレス、並びに台数カウンタにセットされる数値は、サーバ１０１から「Ｂｇｒｐ」のＩＰアドレスが回答された場合と同様である。すなわち、サーバ１０１から同グループ内のいずれのＩＰアドレスが回答された場合であっても、同様の数値が求められることとなる。
【０１５１】
このようにしてスケジュール作成処理まで終了すると、本インターネット電話機は、グループ確認処理を終了し、宛先発呼処理を開始する。図４（ｃ）の場合の宛先発呼処理においては、サーバ１０１から特定のインターネット電話機のＩＰアドレスが回答された場合に図４（ｂ）の場合と異なる処理を実行する。なお、サーバ１０１からグループを示すＩＰアドレス（例えば、「Ｂｇｒｐ」のＩＰアドレス）が回答された場合には、図４（ｂ）の場合と同様に行われるため、その説明を省略する。
【０１５２】
宛先発呼処理を開始すると、本インターネット電話機は、まず、発呼結果を初期化し（ＳＴ７０１）、指定ＩＰアドレスに発呼処理を行う（ＳＴ７０２）。この場合における指定ＩＰアドレスは、サーバ１０１から回答された特定のインターネット電話機(端末)のＩＰアドレスである。ここでは、サーバ１０１から端末Ｂ３のＩＰアドレス「１９２．１６８．１．６７／２９」が回答されたものとし、ＳＴ７０２においては、この端末Ｂ３のＩＰアドレスを指定ＩＰアドレスとして発呼処理を行う。なお、回答されたＩＰアドレスのうち、「／」以降の値は、マスクデータを示すためのものであるため、本インターネット電話機は、実質的なＩＰアドレスとして「１９２．１６８．１．６７」を認識する。
【０１５３】
発呼処理を行った後、本インターネット電話機は、端末Ｂ３と接続できたかを判断し（ＳＴ７０３）、接続できたならば、発呼結果の状態を「通話ＯＫ」に切り替えて（ＳＴ７０４）、宛先発呼処理を終了する。
【０１５４】
一方、接続できなかったならば、台数カウンタの数値から「１」を差し引いた後（ＳＴ７０５）、台数カウンタの数値が「０」であるかを判断する（ＳＴ７０６）。なお、図４（ｃ）の場合においては、端末Ｂ３のＩＰアドレスが回答された場合、台数カウンタには上述のように数値「６」がセットされている。このため、ＳＴ７０５の処理において台数カウンタの数値が「５」とされ、ＳＴ７０６の処理において台数カウンタの数値が「０」とは判断されない。
【０１５５】
したがって、本インターネット電話機は、現在の指定ＩＰアドレスの数値（１９２．１６８．１．６７）を一つインクリメントして（ＳＴ７０８）、当該ＩＰアドレス（１９２．１６８．１．６８）を指定ＩＰアドレスとし、指定ＩＰアドレスの数値が範囲終了アドレスを超えたかどうかを判断する（ＳＴ７０９）。
【０１５６】
ここで、範囲終了アドレスは、上述のように、「１９２．１６８．１．７０」として求められている。このため、本インターネット電話機は、処理をＳＴ７０２に戻し、再び指定ＩＰアドレス（１９２．１６８．１．６８）に発呼処理を行い（ＳＴ７０２）、接続できたかを判断する（ＳＴ７０３）。
【０１５７】
このような処理を繰り返していくと、ＳＴ７０６の判断において台数カウンタの数値が「０」でないにも関わらず、ＳＴ７０９の判断においてインクリメントした後のＩＰアドレスが範囲終了アドレスを超える事態が生ずる。具体的には、初めに発呼処理を行ったインターネット電話機（端末）の指定ＩＰアドレスが範囲開始アドレスでない場合にかかる事態が生ずることとなる。
【０１５８】
この場合、本インターネット電話機は、指定ＩＰアドレスに範囲開始アドレスをセットする（ＳＴ７１０）。上述の例でいえば、範囲開始アドレスとして求められたＩＰアドレス「１９２．１６８．１．６５」を指定ＩＰアドレスとしてセットする。そして、処理をＳＴ７０２に戻し、当該指定ＩＰアドレスに再び発呼処理を行う。
【０１５９】
指定ＩＰアドレスに範囲開始アドレスをセットした上でさらに処理を繰り返していくうちに、台数カウンタの数値が「０」となった場合には、本インターネット電話機は、発呼結果の状態を「通話ＮＧ」に切り替えて（ＳＴ７０７）、当該宛先発呼処理を終了する。
【０１６０】
以下、上記動作フローを実行することで、本インターネット電話機と宛先端末との間で行われるシーケンスについて説明する。図８は、本実施の形態のインターネット電話機における動作を示すシーケンス図である。
【０１６１】
なお、図８においては、本インターネット電話機がグループ（Ａ）に属する端末Ａ１であるものとし、グループ（Ｂ）に対応する電話番号、つまり「Ｂｇｒｐ」の電話番号「２０００」を入力した場合のシーケンスについて示している。
【０１６２】
また、サーバ１０１のメモリ３０３には、上述した図４（ａ）〜（ｃ）のいずれのＩＰアドレスの構成が登録されていてもよいが、特に図４（ａ）に示す構成が登録されているものとする。
【０１６３】
オペレータから「Ｂｇｒｐ」の電話番号「２０００」の入力を受けると、本インターネット電話機（端末Ａ１）は、かかる電話番号に対応するＩＰアドレスを問い合わせ（ＳＴ８０１）、サーバ１０１から当該電話番号に対応するＩＰアドレス（１９２．１６８．２．＊）の通知を受ける（ＳＴ８０２）。
【０１６４】
このＩＰアドレスの通知を受けると、本インターネット電話機（端末Ａ１）は、上述したグループ確認処理を行う（ＳＴ８０３）。このグループ確認処理を行うことで、ＲＡＭ２０６上の所定領域に範囲開始アドレス及び範囲終了アドレス、並びに台数カウンタに求めた数値を登録する。ここでは、範囲開始アドレスとして、端末Ｂ１に対応するＩＰアドレス「１９２．１６８．２．１」が登録され、範囲終了アドレスとして「１９２．１６８．２．２５４」が登録され、台数カウンタに「２５４」がセットされる。
【０１６５】
そして、グループ確認処理を終了すると、本インターネット電話機（端末Ａ１）は、宛先発呼処理を行う（ＳＴ８０４）。具体的には、まず、範囲開始アドレスに指定された端末Ｂ１に対して発呼する（ＳＴ８０５）。ここで、端末Ｂ１は、話中等で接続ができなかったものとする。
【０１６６】
この場合、本インターネット電話機（端末Ａ１）は、この端末Ｂ１のＩＰアドレスの数値を「１」だけインクリメントした数値がＩＰアドレスである端末Ｂ２に対して発呼する（ＳＴ８０６）。ここで、端末Ｂ２も話中等で接続ができなかったものとする。
【０１６７】
この場合、本インターネット電話機（端末Ａ１）は、上述したのと同様に、この端末Ｂ２のＩＰアドレスの数値を「１」だけインクリメントした数値がＩＰアドレスである端末Ｂ３に対して発呼する（ＳＴ８０７）。ここで、端末Ｂ３は、話中等で接続ができない事態にないものとする。したがって、本インターネット電話機（端末Ａ１）は、端末Ｂ３を利用するオペレータと通話することが可能となる。
【０１６８】
このように本実施の形態のインターネット電話機によれば、サーバ１０１から回答したＩＰアドレスのホストアドレス部に特殊記号（「＊」又は「／」）を確認すると、この特殊記号を数字に置換したＩＰアドレスに発呼処理を行い、その宛先が話中の場合は前記置換したＩＰアドレスが示す数値をインクリメントして別の宛先に発呼処理を行う。これにより、オペレータは、単に電話番号を入力するだけである宛先が話中の場合には、本インターネット電話機が別の宛先に順次自動的にかけ直してくれるので、同一グループ内のある電話機が話中の場合に一旦電話を切り、オペレータが隣接する別の電話機の電話番号を別途入力し直すという手間を省くことができ、電話をする際の操作負担を著しく軽減することができる。特に、複数の電話機が話中の場合、操作負担を軽減する効果は一層大きくなる。
【０１６９】
また、特殊記号として「／」が用いられた場合には、その後方に特殊記号を数字に変換できる範囲を示している。本実施の形態においては、「／」の後方に「２９」の数値を置くことでＩＰアドレスのビット数である３２ビットから２９ビットの差し引いた残りの３ビットが示す範囲で特殊記号を数字に変換できる範囲を示している。
【０１７０】
このように本実施の形態のインターネット電話機によれば、特殊記号を数字に変換できる範囲が示されることにより、前記範囲内で特殊記号を数字に変換し、宛先端末が話中の場合には前記範囲内でＩＰアドレスの数値をインクリメントする。このため、前記範囲を超えてグループ内に存在しないＩＰアドレスに無駄にアクセスするという処理の発生を防止できる。
【０１７１】
なお、本実施の形態においては、特に宛先端末が話中の要因により本インターネット電話機が接続できなかった場合について具体的に説明している。しかし、本インターネット電話機が宛先端末と接続できない場合としては、話中に限定されず、宛先端末のオペレータが不在又は多忙につき所定時間応答できない場合も想定される。したがって、本インターネット電話機から宛先端末に発呼したにも関わらず、宛先端末で所定時間無応答の場合に当該宛先端末に対応するＩＰアドレスが示す数値をインクリメントして別の宛先端末に発呼処理を行うようにしてもよい。
【０１７２】
本実施の形態においては、宛先端末が話中の状態にあるため、宛先端末からビジートーンを示す信号（以下、「ビジートーン信号」という）が出力される。このため、本インターネット電話機においては、ビジートーン信号を検出することで即時に次の処理に移行することができる。しかし、宛先端末で無応答の場合にはビジートーン信号ではなく、リングバックトーンを示す信号（以下、「リングバックトーン信号」という）が宛先端末から出力される。このため、上述のような変更を行う場合には、リングバックトーン信号の検出時点から所定時間の経過を判断する必要がある。したがって、上述のような変更を行う場合には、本インターネット電話機にリングバックトーン信号の検出時点から所定時間をカウントするタイマを備え、ＣＰＵ２０３でかかるタイマによるカウント値を判断して発呼先の宛先端末を切り替えることで実現することができる。このように変更した場合においても、上述した本実施の形態に係るインターネット電話機と同様の効果を得ることができる。
【０１７３】
なお、タイマがカウントする所定時間として、例えば、１０秒間が設定されるが、これに限定されず、任意の時間を設定することが可能である。
【０１７４】
また、上記説明におけるインターネット電話は、総務省が定義し通信事業者が運用するＩＰ電話や、ローカルなネットワーク又は自営網でのＴＣＰ／ＩＰ等のコンピュータ通信プロトコルによるネットワークで実現されるものも含むものとする。
【産業上の利用可能性】
【０１７５】
本発明に係るインターネット電話機、インターネット電話に用いる制御装置及びネットワークサーバ、並びにインターネット電話システム及びインターネット電話による通話方法によれば、通話したい宛先の電話機が話中の場合であっても、同一のネットワークのグループに属する電話機にオペレータの操作を介在させずに自動的にかけ直すことができ、オペレータの利便性に優れたインターネット電話機等を提供できる点で有用である。
【図面の簡単な説明】
【０１７６】
【図１】本発明の一実施の形態に係るインターネット電話機が接続されるネットワークの構成を示す図
【図２】上記実施の形態に係るインターネット電話機の構成を示すブロック図
【図３】上記実施の形態に係るサーバの概略構成を示すブロック図
【図４】上記実施の形態に係るサーバのメモリに登録されたインターネット電話機に割り当てられた電話番号と各電話番号に対応するＩＰアドレスとが登録された管理表を示す図
【図５】上記実施の形態に係るインターネット電話機の全体動作について説明するためのフロー図
【図６】上記実施の形態に係るインターネット電話機のグループ確認処理の動作について説明するためのフロー図
【図７】上記実施の形態に係るインターネット電話機の宛先発呼処理の動作について説明するためのフロー図
【図８】上記実施の形態のインターネット電話機における動作を示すシーケンス図
【図９】（ａ）従来の一般的なインターネット電話システムのネットワークの構成を示す図  （ｂ）、（ｃ）従来のインターネット電話システムのサーバにおいて管理される、各インターネット電話機に割り当てられた電話番号とその電話番号に対応するＩＰアドレスとが登録された管理表を示す図
【図１０】従来のインターネット電話システムにおける動作を示すシーケンス図
【符号の説明】
【０１７７】
１０１  サーバ
１０２、１０３  ルータ
２０１  制御アダプタ
２０２  通常の電話機
２０３  ＣＰＵ
２０５  ＲＯＭ
２０６  ＲＡＭ
３０１  ＣＰＵ
３０３  メモリ
【図１】
2004312708.tif 000003
【図２】
2004312708.tif 000004
【図３】
2004312708.tif 000005
【図４】
2004312708.tif 000006
【図５】
2004312708.tif 000007
【図６】
2004312708.tif 000008
【図７】
2004312708.tif 000009
【図８】
2004312708.tif 000010
【図９】
2004312708.tif 000011
【図１０】
2004312708.tif 000012